(57)【特許請求の範囲】
【請求項１】
建物本体側の踊り場部分と外側の踊り場部分と両踊り場部分を結ぶ段床部分とが一体化されてなる半階分のプレキャスト段板を一つのユニットとした複数ユニットのプレキャスト段板を用いてＲＣ造外部階段を構築するにあたり、前記建物本体側の踊り場部分を支持する片持ち梁が設けられた支柱と、前記外側の踊り場部分を支持する片持ち梁が設けられた支柱とを立設し、これら両支柱及び片持ち梁を仮設の支持材にして両支柱の片持ち梁間に前記プレキャスト段板を架設し、しかる後、両支柱間にコンクリートを前記プレキャスト段板の段床部分の側面部が定着される状態に現場打ちして本設の壁柱を構築し、当該壁柱で前記プレキャスト段板を支持すると共に、前記壁柱のコンクリートが硬化した後、前記片持ち梁を撤去するようにしたことを特徴とするプレキャスト段板を用いたＲＣ造外部階段の構築方法。
【請求項２】
前記両支柱間に補強用斜材をジグザグ状に架設するにあたり、補強用斜材と支柱との連結点を片持ち梁によるプレキャスト段板の支持位置に対して上下に半ピッチずつずらして架設することを特徴とする請求項１に記載のプレキャスト段板を用いたＲＣ造外部階段の構築方法。
【請求項３】
前記プレキャスト段板の段床部分に複数の雌ねじ金物を段床部分の側面で開口した状態に埋設しておき、片持ち梁間へのプレキャスト段板の架設後、前記雌ねじ金物に壁柱のコンクリートに対する定着筋用のボルトを螺着することを特徴とする請求項１又は２に記載のプレキャスト段板を用いたＲＣ造外部階段の構築方法。
【発明の詳細な説明】
【０００１】
【発明の属する技術分野】
本発明は、プレキャスト段板を用いたＲＣ造外部階段の構築方法に関するものである。
【０００２】
【従来の技術】
プレキャスト段板を用いて集合住宅等の外部階段を構築する方法には、外周部四隅に立設された鉄骨支柱と当該鉄骨支柱に架設された鉄骨小梁とからなる鉄骨架構を先行して施工し、プレキャスト段板を真上から吊り込む方法の他、特開平７−３４６２６号公報で提案されているように、鋼製の片持ち梁を備えた２本の鉄骨支柱を中央部に立設し、これらの鉄骨支柱と片持ち梁でプレキャスト段板を支持する方法がある。
【０００３】
しかしながら、上記の両従来例は、何れも、プレキャスト段板だけがＲＣ造であって、鉛直支持材がＳ造（鉄骨造）であるから、防錆対策の困難さや竣工後の保守メンテナンスが問題になり、海浜部の集合住宅には、全く不向きである。また、デザイン的にも、鉄骨がむき出しで重厚さにかけ、建物本体との違和感が生じやすい。
【０００４】
このため、外部階段をＲＣ造とすること、殊に、施工の合理化・工期の短縮・早期安全通路の確保等の観点から、プレキャスト段板を用いたＲＣ造外部階段が強く望まれているのである。
【０００５】
プレキャスト段板を用いたＲＣ造外部階段の構築方法としては、次の二つがよく知られている。
（１）片持ち一体式
片持ち（跳ね出し）階段とそれを支持する中央の壁柱とが一体化されたプレキャスト部材を工場で製作し、現場でプレキャスト部材の壁柱をジョイントして組み上げていく方法である。
（２）片持ち組立式
片持ち（跳ね出し）階段と、それを支持する中央の壁柱とを別々のプレキャスト部材として製作し、現場で壁柱を１階分ずつジョイントして組み上げ、片持ち（跳ね出し）階段を壁柱にボルトで接合していく方法である。
【０００６】
これらの両方法に共通した欠点は、壁柱をジョイントして組み上げることによって、段板のレベルが確定してしまうので、段板のレベル調整を壁柱施工時に正確に行う必要があり、壁柱の建て込み時に高い施工精度が求められることである。また、（１）の片持ち一体式では、プレキャスト部材の型枠が複雑になり、製作が難しく、重量が嵩むといった欠点があり、（２）の片持ち組立式では、段板のボルト接合に不安感が残るという問題点がある。
【０００７】
【発明が解決しようとする課題】
本発明は、上記の従来欠点に鑑みてなされたものであって、その目的とするところは、プレキャスト段板を用いて、重厚な外観と高い精度を有する高品質なＲＣ造外部階段が容易に施工できるようにすることにある。
【０００８】
【課題を解決するための手段】
上記の目的を達成するために、請求項１に記載の発明では、建物本体側の踊り場部分と外側の踊り場部分と両踊り場部分を結ぶ段床部分とが一体化されてなる半階分のプレキャスト段板を一つのユニットとした複数ユニットのプレキャスト段板を用いてＲＣ造外部階段を構築するにあたり、前記建物本体側の踊り場部分を支持する片持ち梁が設けられた支柱と、前記外側の踊り場部分を支持する片持ち梁が設けられた支柱とを立設し、これら両支柱及び片持ち梁を仮設の支持材にして両支柱の片持ち梁間に前記プレキャスト段板を架設し、しかる後、両支柱間にコンクリートを前記プレキャスト段板の段床部分の側面部が定着される状態に現場打ちして本設の壁柱を構築し、当該壁柱で前記プレキャスト段板を支持すると共に、前記壁柱のコンクリートが硬化した後、前記片持ち梁を撤去するようにしている。
【０００９】
即ち、この発明では、ＲＣ造外部階段の構築途中においては、壁柱構築位置の両端側に立設された２本の支柱と、当該支柱に十字状に設けられた片持ち梁を仮設の支持材としてプレキャスト段板を支持し、中央壁柱のコンクリートが硬化した状態においては、中央の壁柱がプレキャスト段板と構造的に一体となった片持ち（跳ね出し）式のＲＣ造外部階段とするものであり、プレキャスト段板の据付け時には、両端の踊り場部分を片持ち梁で支持した一方向版でありながら、中央壁柱の構築後は、壁柱で支持された片持ち（跳ね出し
）階段となるという、これまでに例のない支持形態となっている。
【００１０】
上記の構成によれば、プレキャスト段板の据付け時には、両支柱及び片持ち梁を仮設の支持材にして両支柱の片持ち梁間に前記プレキャスト段板を架設するので、最終的には中央の壁柱で支持されたＲＣ造外部階段となるものであるにもかかわらず、プレキャスト段板のレベル調整を、壁柱の構築に先立って、壁柱の鉛直精度と無関係に行えることになる。
【００１１】
従って、既述の（１）片持ち一体式や（２）片持ち組立式に見られたレベル調整の困難さが解消され、しかも、中央の壁柱はコンクリートの現場打ちによって構築するので、コンクリートが硬化した状態においては、プレキャスト段板の段床部分の側面部が壁柱のコンクリートに定着されて構造的に一体となり、プレキャスト段板を用いているにもかかわらず、プレキャスト段板と壁柱の接合に不安感のない重厚な外観と高い精度を有する高品質なＲＣ造外部階段が容易に施工できるのである。
【００１２】
尚、前記片持ち梁は、壁柱コンクリートの硬化後も残置させてもよいが、この場合には、片持ち梁がむき出しになって、ＲＣ造外部階段の持つ重厚な外観の妨げにならないようにするための何らかの手段、例えば、プレキャスト段板の外周部下面に垂れ壁を連設して、片持ち梁の小口を隠すといった工夫が求められるので、請求項１に記載の発明のように、壁柱のコンクリートが硬化した後、前記片持ち梁を撤去することが望ましい。このようにすれば、前記垂れ壁を省略して、プレキャスト段板の軽量化と形状の単純化による後述する利点が得られるだけでなく、前記片持ち梁を同一建築現場における次節以降の工事や、別の集合住宅等におけるＲＣ造外部階段の構築に何度でも転用できて、経済的である。
【００１３】
請求項２に記載の発明では、両支柱間に補強用斜材をジグザグ状に架設するにあたり、補強用斜材と支柱との連結点を片持ち梁によるプレキャスト段板の支持位置に対して上下に半ピッチずつずらして架設している。
【００１４】
この構成によれば、両支柱及び片持ち梁を仮設の支持材にして両支柱の片持ち梁間に前記プレキャスト段板を架設し、当該プレキャスト段板を早期の安全通路として利用する際、補強用斜材が階高の中間部に位置するので、補強用斜材を内側の仮設手摺りとして利用でき、工事中の安全確保に役立つ。
【００１５】
請求項３に記載の発明では、前記プレキャスト段板の段床部分に複数の雌ねじ金物を段床部分の側面で開口した状態に埋設しておき、片持ち梁間へのプレキャスト段板の架設後、前記雌ねじ金物に壁柱のコンクリートに対する定着筋用のボルトを螺着するようにしている。
【００１６】
この構成によれば、プレキャスト段板が片持ち梁間に架設されるまで、プレキャスト段板の側面に突起物（壁柱のコンクリートに対する定着筋用のボルト）が存在しないため、プレキャスト段板を片持ち梁間へ吊り込む作業をより一層容易に行えることになる。
【００１７】
【発明の実施の形態】
以下、本発明の実施の形態を図面に基づいて説明する。図１〜図３は、集合住宅等におけるＲＣ造外部階段Ａを示す。このＲＣ造外部階段Ａは、建物本体Ｂ側の踊り場部分１と外側の踊り場部分２と両踊り場部分１，２を結ぶ段床部分３とが一体化されてなる半階分のプレキャスト段板４を一つのユニットとした複数ユニットのプレキャスト段板４を用いて構築されたもので、各プレキャスト段板４は、ＲＣ造であり、コンクリー５を現場打ちして構築された中央のＲＣ造の壁柱６に支持され、片持ち（跳ね出し）階段となっている。
【００１８】
図１、図３に示す７は、既知の手段により後付けされた金属製の外周手摺りである。図示しないが、金属製の外周手摺り７の代わりに、プレキャストコンクリート製の外周手摺りを後付けしてもよい。外周手摺り７を後付け式にしたのは、プレキャスト段板４を軽量化して、プレキャスト段板４の吊り込み時の揚重を容易にすると共に、プレキャスト段板４の形状を単純化して、製作、輸送、ストックを容易にするためである。図１に示す８は、壁柱６のコンクリート５に埋設された縦横格子状の壁筋、９ａ，９ｂは鋼製支柱、図２に示す１０はモルタル等による仕上げ層である。
【００１９】
１階分のプレキャスト段板４には、建物本体Ｂ側の踊り場部分１から外側の踊り場部分２へと昇っていくものと、外側の踊り場部分２から建物本体Ｂ側の踊り場部分１へと昇っていくものの２種類がある。また、特定階だけ階高が高い建物である場合（例えば、１階床から２階床までの高さが一般階よりも高い場合）、その階に用いるプレキャスト段板４だけは寸法の大きいものになるが、建物本体Ｂが全階同一階高である場合には、プレキャスト段板４は、上記の２種類だけとなる。
【００２０】
各プレキャスト段板４はサイト生産されたもので、段床部分３には、複数の雌ねじ金物１１が段床部分３の側面で開口した状態に所要ピッチで埋設されている。そして、図２に示すように、前記雌ねじ金物１１に螺着した定着筋用のボルト１２を介して壁柱６のコンクリート５に定着され、壁柱６と構造的に一体化するようになっている。
【００２１】
雌ねじ金物１１としては、例えば、図２に示すように、Ｕ字アンカー１３付きのロングナットが使用され、定着筋用のボルト１２としては、例えば、頭付きボルトや、ナットでプレートを固定した寸切りボルトが使用される。また、各プレキャスト段板４の両踊り場部分１，２には、図５、図６に示すように、後述する鋼製片持ち梁１４ａ，１４ｂの上フランジに突設した位置決めボルト１５と係合して、プレキャスト段板４の不測な脱落を防止する貫通孔１６が形成されており、さらに、その両側のコンクリート部分には、一対のナット部材１７が埋め込まれ、当該ナット部材１７には、上方から操作可能なレベル調整用のボルト１８がねじ込まれている。
【００２２】
ＲＣ造外部階段Ａの構築方法を説明すると、先ず、図４、図５に示すように、前記建物本体側の踊り場部分１を支持する十字状の鋼製片持ち梁１４ａが設けられた鋼製支柱９ａと、前記外側の踊り場部分２を支持する十字状の鋼製片持ち梁１４ｂが設けられた鋼製支柱９ｂとを立設し、これら両鋼製支柱９ａ，９ｂ間には、アングル材よりなる補強用斜材１９をジグザグ状に架設する。
【００２３】
尚、２０は補強用斜材１９の端部をボルト・ナットで連結するためのガセットプレートである。ガセットプレート２０は、上下の鋼製片持ち梁の中間位置において、各鋼製支柱９ａ，９ｂのウエブに溶接されている。鋼製片持ち梁１４ａ，１４ｂは、図５〜図７に示すように、鋼製支柱９ａ，９ｂのフランジ外面に着脱自在にボルト２１で連結した一対のアングル材２２にウエブを挟み込んで、ボルト・ナット２３により接合し、前記壁柱６のコンクリー５の硬化後には、撤去できるようにしてある。
【００２４】
しかる後、プレキャスト段板４を吊り込み、両鋼製支柱９ａ，９ｂ及び鋼製片持ち梁１４ａ，１４ｂを仮設の支持材にして両鋼製支柱９ａ，９ｂの鋼製片持ち梁１４ａ，１４ｂ間に前記プレキャスト段板４を架設する。この状態では、プレキャスト段板４は、鋼製片持ち梁１４ａ，１４ｂに対して固定されていないが、図６に示すように、貫通孔１６が位置決めボルト１５と係合することにより、プレキャスト段板４の位置ずれによる不測な脱落が防止され、安全が確保される。そして、この状態で、レベル調整用のボルト１８を操作して、プレキャスト段板４のレベル調整を行う。このレベル調整は、壁柱６の構築に先
立って、壁柱６の鉛直精度と関係なく行われることになる。
【００２５】
尚、プレキャスト段板４を吊り込む時点では、プレキャスト段板４の段床部分３側面の雌ねじ金物１１に定着筋用のボルト１２がねじ込まれていないので、プレキャスト段板４を吊り込む際、ボルト１２が補強用斜材１９に引っ掛かる虞がなく、プレキャスト段板４の吊り込み作業を容易に行えるのである。補強用斜材１９と鋼製支柱９ａ，９ｂとの連結点は、ガセットプレート２０を上下の鋼製片持ち梁の中間位置に配置することにより、図４に示すように、鋼製片持ち梁１４ａ，１４ｂによるプレキャスト段板４の支持位置に対して上下に半ピッチずつずらしてあるので、プレキャスト段板４を早期の安全通路として利用する際、補強用斜材１９が階高の中間部に位置することになり、補強用斜材１９を内側の安全用仮設手摺りとして利用でき、工事中の安全確保に役立つのである。鋼製片持ち梁１４ａ，１４ｂに、図示のようなハンチをとるのは、プレキャスト段板４を早期の安全通路として利用する際、鋼製片持ち梁１４ａ，１４ｂの先端側における梁下端と安全通路床面との上下間隔を広くして、他物と衝突しにくいように配慮したものである。
【００２６】
上記のようにして、プレキャスト段板４を鋼製片持ち梁１４ａ，１４ｂ間に架設したら、前記定着筋用のボルト１２を雌ねじ金物１１に螺着すると共に、鋼製支柱９ａ，９ｂ間に壁筋８を配筋する。そして、鋼製支柱９ａ，９ｂ間にわたって柱壁用の側面型枠（図示せず。）を組み立てると共に、鋼製支柱９ａ，９ｂを柱壁用の端面型枠に利用して、コンクリート５をプレキャスト段板４の段床部分３の側面部が定着される状態に現場打ちする。
【００２７】
鋼製支柱９ａ，９ｂの外側には、コンクリート打設を行わず、単に、モルタル等による仕上げ層１０で被覆する（この場合、鋼製支柱９ａ，９ｂのフランジやウエブによる凹凸形状が見えなくなるように、厚く被覆することが、デザイン的には好ましい。）だけでもよいが、図２に示すように、予め、別の場所で成形したコンクリートブロック２４を鋼製支柱９ａ，９ｂの外側のフランジ間に嵌め込んで接着等の手段により固定し、その上にモルタル等による仕上げ層１０を施工してもよく、あるいは、鋼製支柱９ａ，９ｂの外側にも型枠を組んでコンクリートを打設し、鋼製支柱９ａ，９ｂをコンクリートで被覆した後、その上にモルタル等による仕上げ層１０を施工するようにしてもよい。
【００２８】
コンクリート５が硬化し、所要の強度が発現した状態においては、プレキャスト段板４の段床部分３の側面部が壁柱６のコンクリート５に定着されて構造的に一体となる。つまり、プレキャスト段板４の据付け時には、両端の踊り場部分１，２が鋼製片持ち梁１４ａ，１４ｂで支持された一方向版でありながら、中央壁柱６の構築後は、壁柱６で支持された片持ち（跳ね出し）階段となる。鋼製片持ち梁１４ａ，１４ｂは、仮設の支持材であり、コンクリート５の硬化後は、撤去して別の場所に転用されることになる。
【００２９】
尚、踊り場部分１，２に設けられた貫通孔１６、ナット部材１７やレベル調整用のボルト１８が配置された凹部は、仕上げの工程において、モルタル等で充填するものとする。図示しないが、鋼製支柱９ａ，９ｂや鋼製片持ち梁１４ａ，１４ｂをプレキャストコンクリート製支柱やプレキャストコンクリート製片持ち梁に変更して実施することも可能である。
【００３０】
図８、図９は、本発明の別の実施の形態を示す。この実施の形態は、仮設材であるところの鋼製片持ち梁１４ａ，１４ｂを、壁柱コンクリートの硬化後も残置させることによって、鋼製片持ち梁１４ａ，１４ｂの回収撤去の手間を省略する一方、鋼製片持ち梁１４ａ，１４ｂがむき出しになって、ＲＣ造外部階段の持つ重厚な外観の妨げにならないようにするために、プレキャスト段板４の外周部下面に垂れ壁２５を連設し、当該垂れ壁２４で鋼製片持ち梁１４ａ，１４ｂの小口（先端）を覆って外部から見えなくした点に特徴があ
る。
【００３１】
尚、鋼製片持ち梁１４ａ，１４ｂには、ハンチをとっていない。これは、垂れ壁２５の上下幅をさほど長くしなくても、鋼製片持ち梁１４ａ，１４ｂが垂れ壁２５の上下幅内に納まるように配慮したものである。また、図示した実施の形態では、プレキャストコンクリート製の外周手摺り７をプレキャスト段板４の外周部に一体成形しておき、外周手摺りを後付けする工程を省略しているが、外周手摺り７を別途成形して後付け式とするか、外周手摺り７を金属製にして後付け式とし、両鋼製支柱９ａ，９ｂの鋼製片持ち梁１４ａ，１４ｂ間にプレキャスト段板４を架設した後、プレキャスト段板４の外周部に外周手摺り７を後付けするようにしてもよい。鋼製片持ち梁１４ａ，１４ｂを撤去する工程と、外周手摺りを後付けする工程を省略する以外は、図１〜図７で示したＲＣ造外部階段の構築方法と同じであるから、同一構成部材に同一符号を付し、説明は省略する。
【００３２】
【発明の効果】
以上説明したように本発明によれば、プレキャスト段板を用いて、重厚な外観と高い精度を有する高品質なＲＣ造外部階段が容易に施工できる効果がある。
即ち、本発明の構成によれば、プレキャスト段板の据付け時には、両支柱及び片持ち梁を仮設の支持材にして両支柱の片持ち梁間に前記プレキャスト段板を架設するので、最終的には中央の壁柱で支持されたＲＣ造外部階段となるものであるにもかかわらず、プレキャスト段板のレベル調整を、壁柱の構築に先立って、壁柱の鉛直精度と無関係に行えることになる。
従って、既述の片持ち一体式や片持ち組立式に見られたレベル調整の困難さが解消され、しかも、中央の壁柱はコンクリートの現場打ちによって構築するので、コンクリートが硬化した状態においては、プレキャスト段板の段床部分の側面部が壁柱のコンクリートに定着されて構造的に一体となり、プレキャスト段板を用いているにもかかわらず、プレキャスト段板と壁柱の接合に不安感のない重厚な外観と高い精度を有する高品質なＲＣ造外部階段が容易に施工できるのである。
また、前記片持ち梁を壁柱コンクリートの硬化後も残置させた場合、片持ち梁がむき出しになって、ＲＣ造外部階段の持つ重厚な外観の妨げにならないようにするための何らかの手段、例えば、プレキャスト段板の外周部下面に垂れ壁を連設して、片持ち梁の小口を隠すといった工夫が求められることになるが、本発明によれば、壁柱のコンクリートが硬化した後、前記片持ち梁を撤去するので、前記垂れ壁を省略して、プレキャスト段板の軽量化と形状の単純化による利点が得られるだけでなく、前記片持ち梁を同一建築現場における次節以降の工事や、別の集合住宅等におけるＲＣ造外部階段の構築に転用できて、経済的である。
【図面の簡単な説明】
【図１】本発明の方法により構築されるＲＣ造外部階段の概略斜視図である。
【図２】一部を破断して示した上記ＲＣ造外部階段の要部の斜視図である。
【図３】上記ＲＣ造外部階段の概略平面図である。
【図４】両支柱及び片持ち梁を仮設の支持材にして両支柱の片持ち梁間にプレキャスト段板を架設した状態を示す概略側面図である。
【図５】両支柱及び片持ち梁とプレキャスト段板の斜視図である。
【図６】プレキャスト段板と片持ち梁との関係を示す要部の断面図である。
【図７】支柱と片持ち梁の関係を示す要部の分解斜視図である。
【図８】本発明の別の実施の形態を示すＲＣ造外部階段の施工途中における要部の断面図である。
【図９】両支柱及び片持ち梁を仮設の支持材にして両支柱の片持ち梁間に図８に示すプレキャスト段を架設した状態を示す概略側面図である。
【符号の説明】
Ａ…ＲＣ造外部階段、１，２…踊り場部分、３…段床部分、４…プレキャスト段板、５…コンクリート、６…壁柱、９ａ，９ｂ…支柱、１４ａ，１４ｂ…片持ち梁。
【図１】
0003634120.tif 000002
【図２】
0003634120.tif 000003
【図３】
0003634120.tif 000004
【図４】
0003634120.tif 000005
【図５】
0003634120.tif 000006
【図６】
0003634120.tif 000007
【図７】
0003634120.tif 000008
【図８】
0003634120.tif 000009
【図９】
0003634120.tif 000010